(57)【要約】【課題】封印性能の高い封印バンドを提供すること。【解決手段】挿通空間３ａに挿通された帯状部２の凸部５が第１の壁３ｂに形成された凹部３ｆに嵌合されると、凸部５によって帯状部２が係止片３ｇの方に押圧され、係止片３ｇの先端３ｇ２が第２の壁３ｈに当接した状態になる。これにより、引出孔３ｅからピンなどを挿入して係止片３ｇを第２の壁３ｈの方に動かそうとしても係止片３ｇを動かすことができないので、係止歯９と係止片３ｇとの係止状態を解除することができない。【選択図】図７
2019085134.tif 000002
【特許請求の範囲】
【請求項１】
帯状部と、
前記帯状部の一方の面に長手方向に配列された複数の係止歯と、
前記帯状部の一端の方向に形成された頭部と、
前記頭部と前記帯状部の他端との間における前記一方の面と反対側の他方の面に形成された凸部と、
前記頭部の内部に形成されており、前記帯状部を他端から挿通する挿通空間と、
前記他端を前記挿通空間へ挿入するための挿入孔と、
前記挿通空間に挿通された前記他端を前記挿通空間から引き出すための引出孔と、
前記挿通空間を形成する第１の壁に形成されており、前記挿通空間に挿通された前記帯状部の前記凸部が嵌合される凹部と、
前記挿通空間を隔てて前記第１の壁と対向する第２の壁に形成されており、前記挿通空間に挿通された前記帯状部の前記係止歯が係止される係止片と、を備えており、
前記係止片は、前記第２の壁の所定部位を基部として揺動可能であり、かつ、その先端が前記引出孔の方に向けて前記挿通空間に突出しており、
前記挿通空間に挿通された前記帯状部の前記複数の係止歯のうち所定の係止歯が前記係止片に係止され、かつ、前記凸部が前記凹部に嵌合された際に、前記係止片の先端は、前記第２の壁に当接した状態になることを特徴とする封印バンド。
【請求項２】
前記挿通空間に挿通された前記帯状部の前記複数の係止歯のうち所定の係止歯が前記係止片に係止され、かつ、前記凸部が前記凹部に嵌合された際に、前記係止片の先端は、前記第２の壁に当接した状態になり、さらに、前記複数の係止歯のうち前記係止片と対向する係止歯が前記係止片に当接した状態になることを特徴とする請求項１に記載の封印バンド。
【請求項３】
前記第１の壁と前記係止片との間隔は、前記係止片の基部から先端に近づくに従って狭くなっていることを特徴とする請求項１または請求項２に記載の封印バンド。
【請求項４】
前記引出孔の中心は前記挿入孔の中心から前記第２の壁の方に変位していることを特徴とする請求項１ないし請求項３のいずれか１項に記載の封印バンド。
【請求項５】
前記第１の壁は、
前記挿通空間に位置する帯状部が、前記凹部に嵌合された前記凸部よりも前記挿入孔寄りの所定部位の表面を頂点として屈曲するように形成されていることを特徴とする請求項１ないし請求項４のいずれか１項に記載の封印バンド。
【発明の詳細な説明】
【技術分野】
【０００１】
本発明は、封印したい部分にバンドを挿通することにより、盗難や無断使用などを防止するための封印バンドに関する。
【背景技術】
【０００２】
従来、この種の封印バンドとして、特許文献１に記載の封緘具が提案されている。この封緘具は、背面に鋸歯状の第１係合手段３が設けられた帯状の係合片１と、この係合片１を挿通して締付状態にロックする係合部２とを備える。また、係合部２の内部には、第１係合手段３と係合される係合爪からなる第２係合手段９が設けられている。そして、封緘対象物である袋物１４の口部１４ａに係合片１を巻き付け、係合片１の自由端部１ａを係合部２の挿通孔８から挿通し、挿通孔８と対向する孔から引き出す。これにより、係合部２の第２係合手段９に第１係合手段３が係合され、袋物１４の口部１４ａが封緘される。
【先行技術文献】
【特許文献】
【０００３】
【特許文献１】特開２００５−１８７０３３号公報
【発明の概要】
【発明が解決しようとする課題】
【０００４】
しかし、前述した従来のものは、第２係合手段９に第１係合手段３が係合された状態であっても、第２係合手段９と係合部２の内壁との間に隙間が形成されており（特許文献１の図９）、第２係合手段９を上記内壁の方に倒すことができるため、挿通孔８と対向する孔からピンなどを挿入し、第２係合手段９と第１係合手段３の係合状態を解除することができてしまう。
つまり、前述した従来のものは、封印（封緘）性能が低いという問題がある。
【０００５】
そこで、本発明は、上記の問題を解決するために創出されたものであって、封印性能の高い封印バンドを提供することを目的とする。
【課題を解決するための手段】
【０００６】
上述した目的を達成するため、本出願に係る発明の封印バンド（１）は、
帯状部（２）と、
帯状部（２）の一方の面（２ａ）に長手方向に配列された複数の係止歯（９）と、
帯状部（２）の一端（２ｃ）の方向に形成された頭部（３）と、
頭部（３）と帯状部（２）の他端（２ｄ）との間における一方の面（２ａ）と反対側の他方の面（２ｂ）に形成された凸部（５）と、
頭部（３）の内部に形成されており、帯状部（２）を他端（２ｄ）から挿通する挿通空間（３ａ）と、
他端（２ｄ）を挿通空間（３ａ）へ挿入するための挿入孔（３ｄ）と、
挿通空間（３ａ）に挿通された他端（２ｄ）を挿通空間（３ａ）から引き出すための引出孔（３ｅ）と、
挿通空間（３ａ）を形成する第１の壁（３ｂ）に形成されており、挿通空間（３ａ）に挿通された帯状部（２）の凸部（５）が嵌合される凹部（３ｆ）と、
挿通空間（３ａ）を隔てて第１の壁（３ｂ）と対向する第２の壁（３ｈ）に形成されており、挿通空間（３ａ）に挿通された帯状部（２）の係止歯（９）が係止される係止片（３ｇ）と、を備えており、
係止片（３ｇ）は、第２の壁（３ｈ）の所定部位を基部（３ｇ１）として揺動可能であり、かつ、その先端（３ｇ２）が引出孔（３ｅ）の方に向けて挿通空間（３ａ）に突出しており、
挿通空間（３ａ）に挿通された帯状部（２）の複数の係止歯（９）のうち所定の係止歯（９）が係止片（３ｇ）に係止され、かつ、凸部（５）が凹部（３ｆ）に嵌合された際に、係止片（３ｇ）の先端（３ｇ２）は、第２の壁（３ｈ）に当接した状態になることを第１の特徴とする。
【０００７】
挿通空間に挿通された帯状部の複数の係止歯のうち所定の係止歯が係止片に係止され、かつ、凸部が凹部に嵌合された際に、係止片の先端は第２の壁に当接した状態になるため、引出孔からピンなどを挿入して係止片を第２の壁の方に動かそうとしても係止片を動かすことができないので、係止歯と係止片との係止状態を解除することができない。
しかも、帯状部の凸部が第１の壁の凹部に嵌合されるため、その状態から帯状部を引出孔から引き出すことができないようにすることができる
したがって、封印性能を高めることができる。
【０００８】
また、本出願に係る発明の封印バンド（１）は、前述した第１の特徴において、
挿通空間（３ａ）に挿通された帯状部（２）の複数の係止歯（９）のうち所定の係止歯（９）が係止片（３ｇ）に係止され、かつ、凸部（５）が凹部（３ｆ）に嵌合された際に、係止片（３ｇ）の先端（３ｇ２）は、第２の壁（３ｈ）に当接した状態になり、さらに、複数の係止歯（９）のうち係止片（３ｇ）と対向する係止歯（９）が係止片（３ｇ）に当接した状態になることを第２の特徴とする。
【０００９】
複数の係止歯のうち係止片と対向する係止歯が係止片に当接した状態になるため、挿入孔からピンなどを挿入しても、係止片に当接している係止歯と係止片とによってピンなどの進入が阻止されるので、係止歯と係止片との係止状態を解除することができない。
したがって、より一層封印性能を高めることができる。
【００１０】
また、本出願に係る発明の封印バンド（１）は、前述した第１または第２の特徴において、
第１の壁（３ｂ）と係止片（３ｇ）との間隔は、係止片（３ｇ）の基部（３ｇ１）から先端（３ｇ２）に近づくに従って狭くなっていることを第３の特徴とする。
【００１１】
第１の壁と係止片との間隔は、係止片の基部から先端に近づくに従って狭くなっているため、挿入孔から挿入された帯状部を、挿通空間において、第２の壁に形成された係止片に押し付けることができるので、係止片の先端を第２の壁に押し付けることができる。
したがって、係止片の先端が第２の壁に当接した状態を強固に維持することができるため、より一層封印性能を高めることができる。
【００１２】
また、本出願に係る発明の封印バンド（１）は、前述した第１ないし第３の特徴のいずれか１つにおいて、
引出孔（３ｅ）の中心（３ｅ１）は挿入孔（３ｄ）の中心（３ｄ１）から第２の壁（３ｈ）の方に変位していることを第４の特徴とする。
【００１３】
引出孔の中心は挿入孔の中心から第２の壁の方に変位しているため、挿入孔から挿入され、引出孔から引き出された帯状部のうち、挿通空間に位置する部分を第２の壁に形成された係止片に押し付けることができるので、係止片の先端を第２の壁に押し付けることができる。
したがって、係止片の先端が第２の壁に当接した状態を強固に維持することができるため、より一層封印性能を高めることができる。
【００１４】
また、本出願に係る発明の封印バンド（１）は、前述した第１ないし第４の特徴のいずれか１つにおいて、
第１の壁（３ｂ）は、
挿通空間（３ａ）に位置する帯状部（２）が、凹部（３ｆ）に嵌合された凸部（５）よりも挿入孔（３ｄ）寄りの所定部位の表面（２ｂ１）を頂点として屈曲するように形成されていることを第５の特徴とする。
【００１５】
第１の壁は、挿通空間に位置する帯状部が、凹部に嵌合された凸部よりも挿入孔寄りの所定部位の表面を頂点として屈曲するように形成されているため、凸部を凹部の内壁に強く押し付けることができるので、凸部および凹部の嵌合状態を強固に維持することができる。
したがって、凸部および凹部の嵌合状態が解除され、帯状部が引出孔から引出し可能となってしまうおそれがない。
つまり、引出孔から引出された帯状部の長さを一定に保つことができるため、その長さが変化した場合は、誰かが封印を解除しようと試みたと推定することができる。
なお、上記括弧内の符号は、後述する実施形態との対応関係を示すものであり、この出願に係る発明を限定するものではない。
【発明の効果】
【００１６】
本出願に係る発明の封印バンドを実施すれば、封印性能の高い封印バンドを提供することができる。
【図面の簡単な説明】
【００１７】
【図１】本発明の実施形態に係る封印バンドの表面を一部省略して示す平面図である。
【図２】図１に示す封印バンドの正面図である。
【図３】図１に示す封印バンドの裏面図である。
【図４】図２に示す封印バンドを構成する頭部の縦断面の拡大図である。
【図５】図２に示す封印バンドを構成する帯状部の一部の拡大図である。
【図６】図４に示す頭部に帯状部が挿通された状態を示す説明図である。
【図７】帯状部の凸部が第１の壁の凹部に嵌合され、係止片の先端が第２の壁に当接した状態を示す説明図である。
【発明を実施するための形態】
【００１８】
本発明の実施形態に係る封印バンドについて図を参照しつつ説明する。
図１は、本実施形態に係る封印バンドの表面を一部省略して示す平面図であり、図２は、図１に示す封印バンドの正面図である。図３は、図１に示す封印バンドの裏面図であり、図４は、図２に示す封印バンドを構成する頭部の縦断面の拡大図である。図５は、図２に示す封印バンドを構成する帯状部の一部の拡大図であり、図６は、図４に示す頭部に帯状部が挿通された状態を示す説明図である。図７は、帯状部の凸部が第１の壁の凹部に嵌合され、係止片の先端が第２の壁に当接した状態を示す説明図である。
【００１９】
［封印バンドの構成の概略］
最初に、本実施形態に係る封印バンド１の構成の概略について説明する。
図１ないし図３に示すように、本実施形態に係る封印バンド１は、帯状部２と、帯状部２の裏面（一方の面）２ａに長手方向に配列された複数の係止歯９と、帯状部２の一端２ｃの方向に形成された頭部３と、頭部３と他端２ｄとの間における裏面（一方の面）２ａと反対側の表面（他方の面）２ｂに形成された凸部５とを備える。さらに、図４に示すように、頭部３の内部には、帯状部２を他端２ｄから挿通する挿通空間３ａと、他端２ｄを挿通空間３ａへ挿入するための挿入孔３ｄと、挿通空間３ａに挿通された他端２ｄを挿通空間３ａから引き出すための引出孔３ｅとを備える。さらに、挿通空間３ａを形成する第１の壁３ｂには、挿通空間３ａに挿通された帯状部２の凸部５が嵌合される凹部３ｆが形成されており、挿通空間３ａを隔てて第１の壁３ｂと対向する第２の壁３ｈには、挿通空間３ａに挿通された帯状部２の係止歯９が係止される係止片３ｇが形成されている。
【００２０】
係止片３ｇは、第２の壁３ｈのうち、挿入孔３ｄの方の一端（図４では下部）を基部３ｇ１として揺動可能であり、かつ、その先端３ｇ２が引出孔３ｅの方に向けて挿通空間３ａに突出している。さらに、図７に示すように、挿通空間３ａに挿通された帯状部２の複数の係止歯９のうち所定の係止歯９が係止片３ｇに係止され、かつ、帯状部２の凸部５が凹部３ｆに嵌合された際に、係止片３ｇの先端３ｇ２は第２の壁３ｈに当接した状態になる。また、図４に示すように、引出孔３ｅの中心３ｅ１は挿入孔３ｄの中心３ｄ１から第２の壁３ｈの方に変位している。
【００２１】
［封印バンドの構成の詳細］
次に、封印バンド１の構成の詳細を説明する。
図１ないし図３に示すように、帯状部２は、肉薄で細長い帯状に形成されており、裏面２ａには、複数の係止歯９が所定間隔置きに形成された係止領域２ｅが設けられている。図２および図３に示すように、各係止歯９は、係止領域２ｅの長手方向に沿ってそれぞれ配列されている。図５に示すように、係止歯９は、係止片３ｇの先端３ｇ２（図４）に係止される係止部９ａと、この係止部９ａの先端（図５では下端）に形成された歯先９ｂと、この歯先９ｂから表面２ｂに向けて傾斜した傾斜部９ｃとを有する。歯先９ｂは鋭角に形成されており、図３に示すように、歯先９ｂの歯先面は、裏面２ａと直交している。係止歯９は高さＨに形成されており、相互に隣接する係止歯９の間隔はＬに設定されている。相互に隣接する係止歯９の間には、裏面２ａと平行な底部９ｄが形成されている。
【００２２】
換言すると、図５に示すように、各係止歯９は正面から見て鋸歯状に形成されている。また、各係止歯９の各歯先９ｂの高さＨは、帯状部２の裏面２ａから突出しない高さにそれぞれ設定されている。また、図３に示すように、係止歯９の歯先９ｂは、係止領域２ｅの短手方向の幅よりも少し短く形成されている。また、図２に示すように、係止歯９が配列された係止領域２ｅは、係止領域２ｅ以外の部分よりも肉厚に形成されている。
【００２３】
係止部９ａの表面２ｂには、凸部５が突出形成されている。凸部５は頭部３の内部に形成された凹部３ｆ（図４）に嵌合される部分であり、凸部５が凹部３ｆに嵌合された状態になると、帯状部２を引出孔３ｅから、図６において符号Ｆにて示す方向へ引き出すことができなくなる。また、帯状部２の一端２ｃの方向であって頭部３の左側にはタグ４が形成されている。タグ４は肉薄の矩形板状に形成されており、タグ４の表面または裏面には、文字を筆記または印刷したり、シールなどを貼付したりすることができる。タグ４には、ワイヤーや紐などを挿通するための貫通孔８が形成されている。また、帯状部２のうち、頭部３と係止領域２ｅとの間には、矢印形状の切断箇所指示部６が形成されている。切断箇所指示部６は、封印バンド１の封印を切断して解除する際に、切断箇所を指示するものである。
【００２４】
この実施形態では、切断箇所指示部６の矢印は頭部３の方を向いており、頭部３と切断箇所指示部６との間に切断可能領域２ｆが形成されている。封印バンド１の封印を切断して解除する際は、切断可能領域２ｆを切断する。また、帯状部２の他端２ｄには滑り止め領域２ｇが設けられている。滑り止め領域２ｇの表面２ｂには、複数の滑り止め凸部７が形成されている。各滑り止め凸部７は、頭部３の引出孔３ｅから突出した他端２ｄを摘まんで引き出す際に滑らないようにするためのものである。各滑り止め凸部７は、他端２ｄの方向に頂部を向けたヘの字形状にそれぞれ形成されており、図２に示すように、それぞれ表面２ｂから少し突出して形成されている。
【００２５】
図４に示すように、頭部３は、裏面側に形成された突出部３ｊを除いて見た場合、略台錐形状に形成されており、相対向する外面３ｍ，３ｎと、表面３ｐと、裏面３ｋとを有する。頭部３の内部には、帯状部２を挿通するための挿通空間３ａが貫通形成されている。裏面３ｋには、帯状部２の他端２ｄ（図１）を挿入するための挿入孔３ｄが形成されており、挿入孔３ｄは挿通空間３ａと連通している。つまり、挿入孔３ｄは、挿通空間３ａの一端の開口面（図４では下端の開口面）を形成している。また、表面３ｐには、挿通空間３ａに挿入された帯状部２の他端２ｄを引き出すための引出孔３ｅが貫通形成されており、引出孔３ｅは挿通空間３ａと連通している。つまり、引出孔３ｅは、挿通空間３ａの他端の開口面（図４では上端の開口面）を形成している。
【００２６】
挿通空間３ａを形成する第１の壁３ｂには、帯状部２の凸部５（図１，図２）が嵌合する凹部３ｆが形成されている。凹部３ｆを形成する各内壁のうち、挿入孔３ｄの方を向いている側面３ｆ２は、挿入孔３ｄと連通する開口面になっている。図７に示すように、側面３ｆ２から進入した凸部５は、凹部３ｆに嵌合され、かつ、凸部５の頂部５ａが、その頂部５ａと対向する凹部３ｆの内壁３ｆ３に当接し、凸部５の外周面のうち引出孔３ｅの方を向いている外周面５ｂが、凹部３ｆのうち引出孔３ｅの方に位置する内壁３ｆ１に当接する。これにより、凸部５の引出孔３ｅの方への移動、つまり、帯状部２の引出孔３ｅからの引出しが阻止される。
【００２７】
図４に示すように、頭部３の内部には、挿通空間３ａを隔てて第１の壁３ｂと対向するように第２の壁３ｈが形成されている。第２の壁３ｈの一端（図４では下端）には、挿通空間３ａに張り出した張出部３ｃが形成されており、その張出部３ｃには係止片３ｇが形成されている。係止片３ｇは、張出部３ｃのうち、引出孔３ｅの方に位置する部分を基部３ｇ１としている。また、係止片３ｇの先端３ｇ２は、引出孔３ｅの方に向けて挿通空間３ａに突出している。係止片３ｇと第２の壁３ｈとの間には隙間３ｉが形成されている。
本実施形態の封印バンド１は、ナイロン６６、ナイロン６などの合成樹脂により形成されており、係止片３ｇは可撓性を有する。このため、係止片３ｇは、帯状部２の係止歯９によって押圧されるときに第２の壁３ｈの方へ倒れ、その押圧が無くなると押圧前の姿勢に復帰する。つまり、係止片３ｇは揺動可能になっている。
【００２８】
また、第１の壁３ｂは、テーパ状に形成されている。換言すると、第１の壁３ｂは、引出孔３ｅに向けて傾斜している。この実施形態では、第１の壁３ｂは、挿入孔３ｄの中心３ｄ１と引出孔３ｅの中心３ｅ１とを結んだ仮想線Ｖと略平行に形成されている。また、第２の壁３ｈは引出孔３ｅに対して垂直に形成されている。このため、図４に示すように、帯状部２が挿通空間３ａに挿通されていない状態では、第１の壁３ｂと係止片３ｇとの間隔は、係止片３ｇの基部３ｇ１から先端３ｇ２に近づくに従って狭くなっている。また、第１の壁３ｂのうち、挿入孔３ｄの方の端部（図４では下端部）には、裏面３ｋから垂直に形成された垂直壁３ｂ２が形成されている。帯状部２の凸部５は、開口面である側面３ｆ２を通過すると、垂直壁３ｂ２と垂直壁３ｂ２との間を進み、凹部３ｆに嵌合される。図４では、相対向する垂直壁３ｂ２のうち、図面の奥に位置する垂直壁３ｂ２の切断線のみが描かれており、図面の手前に存在する垂直壁３ｂ２の切断線は表れていない。また、各垂直壁３ｂ２は、それぞれ挿入孔３ｄと直交しており、各垂直壁３ｂ２のうち、挿通空間３ａに露出している各面は、張出部３ｃの挿通空間３ａに露出している露出面とそれぞれ平行になっている。
【００２９】
また、第１の壁３ｂのうち、引出孔３ｅの方の端部（図４では上端部）には、挿通空間３ａに突出した突出部３ｂ１が形成されている。図６，図７に示すように、突出部３ｂ１の下端の角部３ｂ３は、挿入孔３ｄから挿入された帯状部２を、その表面２ｂを当接させつつ引出孔３ｅへ案内するように形成されている。また、突出部３ｂ１の下端の角部３ｂ３は、挿通空間３ａに挿通された帯状部２の表面２ｂを係止片３ｇの方に押圧し、係止部９ａを係止片３ｇの先端３ｇ２に係止する役割をしている。さらに、図７に示すように、第１の壁３ｂの垂直壁３ｂ２は、挿通空間３ａに位置する帯状部２が、凹部３ｆに嵌合された凸部５よりも挿入孔３ｄ寄りの所定部位の表面２ｂ１を頂点として屈曲するように形成されている。この実施形態では、帯状部２は、第１の壁３ｂの垂直壁３ｂ２に当接している表面２ｂ１を頂点として、略く字状に屈曲している。
【００３０】
このように、帯状部２を強制的に屈曲させることにより、その屈曲により発生する応力を凸部５に与えることができるため、凸部５を凹部３ｆの内壁３ｆ１，３ｆ３に強く押し付けることができるので、凸部５および凹部３ｆの嵌合状態を強固に維持することができる。
したがって、凸部５および凹部３ｆの嵌合状態が解除され、帯状部２が引出孔３ｅから引出し可能となってしまうおそれがない。
つまり、引出孔３ｅから引出された帯状部２の長さを一定に保つことができるため、その長さが変化した場合は、誰かが封印を解除しようと試みたと推定することができる。
また、張出部３ｃの露出面と裏面３ｋとは直交している。この実施形態では、挿入孔３ｄおよび引出孔３ｅは、それぞれ横断面が矩形に形成されている。
【００３１】
［封印バンドの使用方法］
次に、封印バンド１の使用方法について説明する。
封印対象物（図示省略）に設けられた封印バンド挿通孔に帯状部２の他端２ｄを挿通する。そして、封印バンド挿通孔に挿通された他端２ｄを頭部３の挿入孔３ｄから挿入し、引出孔３ｅから突出した他端２ｄを図６において矢印Ｆにて示す方向へ引き出す。係止歯９が形成されていない滑り止め領域２ｇ（図１）が引出孔３ｅを通過すると、やがて係止領域２ｅが挿通空間３ａに到達し、係止領域２ｅの複数の係止歯９のうち、最も他端２ｄに近い１番目の係止歯９が係止片３ｇの先端３ｇ２に係止される。そしてさらに帯状部２の引出しを継続すると、最初に係止されていた１番目の係止歯９と係止片３ｇとの係止状態が解除され、２番目の係止歯９の歯先９ｂの押圧によって係止片３ｇが第２の壁２ｈの方に揺動し、２番目の係止歯９の歯先９ｂが、係止片３ｇの各端縁のうち第１の壁３ｂと対向する端縁３ｇ５を乗り越えると、係止片３ｇが自身の復元力によって揺動前の位置に復帰し、２番目の係止歯９と係止される。以降、同様にして３番目以降の係止歯９と係止片３ｇとの係止および係止解除が繰り返される。
【００３２】
そしてさらに帯状部２の引出を継続すると、やがて帯状部２の表面２ｂに形成された凸部５が凹部３ｆの開口した側面３ｆ２から進入し、凹部３ｆに嵌合され、凸部５が凹部３ｆの内壁３ｆ１，３ｆ３に当接する（図７）。換言すると、凸部５が凹部３ｆに係止された状態になる。これにより、引出孔３ｅから帯状部２を引き出すことができなくなる。さらに、凸部５の高さは、凹部３ｆの深さよりも高いため、凸部５が凹部３ｆに嵌合されると、図７に示すように、帯状部２の表面２ｂが第１の壁３ｂから浮き上がった状態になる。つまり、帯状部２が係止片３ｇの方に押圧され、係止片３ｇの摺動面３ｇ３を押圧している係止歯９の歯先９ｂが、さらに係止片３ｇを第２の壁３ｈの方に押圧する。これにより、係止片３ｇの先端３ｇ２を形成する端縁のうち、第２の壁３ｈと対向する端縁３ｇ４が第２の壁３ｈに押し付けられ、係止片３ｇの先端３ｇ２と第２の壁３ｈとの間に形成されていた隙間３ｉ（図６）が無くなる。
【００３３】
さらに、図７に示すように、帯状部２は、第１の壁３ｂの垂直壁３ｂ２に当接している表面２ｂ１を頂点としてく字状に屈曲する。これにより、凸部５が凹部３ｆにより一層強く押し付けられるため、凸部５および凹部３ｆの嵌合状態が強固に維持される。また、帯状部２の屈曲により生じる応力によって帯状部２が係止片３ｇを強く押し付け、係止片３ｇが第２の壁３ｈに強く押し付けられる。これにより、係止片３ｇの端縁３ｇ４と第２の壁３ｈとの当接状態が強固に維持される。
さらに、図７に示すように、係止歯９が係止片３ｇに係止され、かつ、凸部５が凹部３ｆに嵌合された状態になると、帯状部２の表面２ｂと第１の壁３ｂとの間には空間Ｓが形成される。これにより、引出孔３ｅからドライバーなどの工具の先端を挿入し、係止歯９の傾斜部９ｃを押圧し、係止歯９および係止片３ｇの係止状態を解除しようと試みても、帯状部２が変形して空間Ｓに逃げるため、係止歯９および係止片３ｇの係止状態を解除することができない。
したがって、帯状部２を挿入孔３ｄの方へ引き抜くことができないため、封印性能を高めることができる。
【００３４】
［実施形態の効果］
（１）上述した実施形態の封印バンド１を実施すれば、頭部３内の挿通空間３ａに挿通された帯状部２の複数の係止歯９のうち所定の係止歯９が係止片３ｇに係止され、かつ、帯状部２の凸部５が第１の壁３ｂの凹部３ｆに嵌合された際に、係止片３ｇの先端３ｇ２は第１の壁３ｂと対向する第２の壁３ｈに当接した状態になるため、引出孔３ｅからピンなどを挿入して係止片３ｇを第２の壁３ｈの方に動かそうとしても係止片３ｇを動かすことができないので、係止歯９と係止片３ｇとの係止状態を解除することができない。
しかも、帯状部２の凸部５が第１の壁３ｂの凹部３ｆに嵌合されるため、その状態から帯状部２を引出孔３ｅから引き出すことができないようにすることができる
したがって、封印性能を高めることができる。
【００３５】
（２）さらに、挿通空間３ａに挿通された帯状部２の複数の係止歯９のうち係止片３ｇと対向する係止歯９が係止片３ｇに当接した状態になるため、挿入孔３ｄからピンなどを挿入しても、係止片３ｇに当接している係止歯９と係止片３ｇとによってピンなどの進入が阻止されるので、係止歯９と係止片３ｇとの係止状態を解除することができない。
したがって、より一層封印性能を高めることができる。
【００３６】
（３）さらに、第１の壁３ｂと係止片３ｇとの間隔は、係止片３ｇの基部３ｇ１から先端３ｇ２に近づくに従って狭くなっているため、挿入孔３ｄから挿入された帯状部２を、挿通空間３ａにおいて、第２の壁３ｈに形成された係止片３ｇに押し付けることができるので、係止片３ｇの先端３ｇ２を第２の壁３ｈに押し付けることができる。
したがって、係止片３ｇの先端３ｇ２が第２の壁３ｈに当接した状態を強固に維持することができるため、より一層封印性能を高めることができる。
【００３７】
（４）さらに、引出孔３ｅの中心３ｅ１は挿入孔３ｄの中心３ｄ１から第２の壁３ｈの方に変位しているため、挿入孔３ｄから挿入され、引出孔３ｅから引き出された帯状部２のうち、挿通空間３ａに位置する部分を第２の壁３ｈに形成された係止片３ｇに押し付けることができるので、係止片３ｇの先端３ｇ２を第２の壁３ｈに強く押し付けることができる。
したがって、係止片３ｇの先端３ｇ２が第２の壁３ｈに当接した状態を強固に維持することができるため、より一層封印性能を高めることができる。
【００３８】
（５）さらに、第１の壁３ｂは、挿通空間３ａに位置する帯状部２が、凹部３ｆに嵌合された凸部５よりも挿入孔３ｄ寄りの所定部位の表面２ｂ１を頂点として屈曲するように形成されているため、凸部５を凹部の内壁３ｆ１，３ｆ３に押し付けることができるので、凸部５および凹部３ｆの嵌合状態を強固に維持することができる。
したがって、凸部５および凹部３ｆの嵌合状態が解除され、帯状部２が引出孔３ｅから引出し可能となってしまうおそれがない。
つまり、引出孔３ｅから引出された帯状部２の長さを一定に保つことができるため、その長さが変化した場合は、誰かが封印を解除しようと試みたと推定することができる。
【００３９】
〈他の実施形態〉
（１）係止片３ｇと第２の壁３ｈとの間に形成される隙間３ｉ（図４）は、係止片３ｇの厚さ、係止片３ｇの形状、挿通空間３ａの幅、帯状部２の厚さ、凸部５の高さ、係止歯９の高さＨ（図５）、凹部３ｆの深さなどの各数値の変化によって変化する。このため、それらの各数値の少なくとも１つ以上を設計変更したことが原因で、係止歯９が係止片３ｇに係止され、かつ、凸部５が凹部３ｆに嵌合された際に隙間３ｉが生じてしまう場合は、上記の各数値を見直すことにより、上記隙間３ｉが無くなるようにすることができる。
（２）帯状部２の凸部５が第１の壁３ｂの凹部３ｆに嵌合されたときに、係止歯９が係止片３ｇに係止された状態にならない事態が発生した場合は、係止歯９の間隔Ｌ（図５）、係止歯９の数、先頭の係止歯９の形成位置および凸部５の形成位置の少なくとも一方を変更することにより、上記の事態が発生しないようにすることができる。
【符号の説明】
【００４０】
１    封印バンド
２    帯状部
２ａ  裏面
２ｂ  表面
２ｃ  一端
２ｄ  他端
２ｅ  係止領域
２ｆ  切断可能領域
２ｇ  滑り止め領域
３    頭部
３ａ  挿通空間
３ｂ  第１の壁
３ｂ１  突出部
３ｂ２  垂直壁
３ｄ  挿入孔
３ｄ１  中心
３ｅ  引出孔
３ｅ１  中心
３ｆ  凹部
３ｇ  係止片
３ｇ１  基部
３ｇ２  先端
３ｇ３  摺動面
３ｇ４，３ｇ５  端縁
３ｈ  第２の壁
３ｉ  隙間
４    タグ
５    凸部
６    切断箇所指示部
７    滑り止め凸部
９    係止歯
９ａ  係止部
９ｂ  歯先
Ｖ    仮想線
【図１】
2019085134.tif 000003
【図２】
2019085134.tif 000004
【図３】
2019085134.tif 000005
【図４】
2019085134.tif 000006
【図５】
2019085134.tif 000007
【図６】
2019085134.tif 000008
【図７】
2019085134.tif 000009
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
帯状部と、
前記帯状部の一方の面に長手方向に配列された複数の係止歯と、
前記帯状部の一端の方向に形成された頭部と、
前記頭部と前記帯状部の他端との間における前記一方の面と反対側の他方の面に形成された凸部と、
前記頭部の内部に形成されており、前記帯状部を他端から挿通する挿通空間と、
前記他端を前記挿通空間へ挿入するための挿入孔と、
前記挿通空間に挿通された前記他端を前記挿通空間から引き出すための引出孔と、
前記挿通空間を形成する第１の壁に形成されており、前記挿通空間に挿通された前記帯状部の前記凸部が嵌合される凹部と、
前記挿通空間を隔てて前記第１の壁と対向する第２の壁に形成されており、前記挿通空間に挿通された前記帯状部の前記係止歯が係止される係止片と、を備えており、
前記係止片は、前記第２の壁の所定部位を基部として揺動可能であり、かつ、その先端が前記引出孔の方に向けて前記挿通空間に突出しており、
前記挿通空間に挿通された前記帯状部の前記複数の係止歯のうち所定の係止歯が前記係止片に係止され、かつ、前記凸部が前記凹部に嵌合された際に、前記係止片の先端は、前記第２の壁に当接した状態になることを特徴とする封印バンド。
【請求項２】
前記挿通空間に挿通された前記帯状部の前記複数の係止歯のうち所定の係止歯が前記係止片に係止され、かつ、前記凸部が前記凹部に嵌合された際に、前記係止片の先端は、前記第２の壁に当接した状態になり、さらに、前記複数の係止歯のうち前記係止片と対向する係止歯が前記係止片に当接した状態になることを特徴とする請求項１に記載の封印バンド。
【請求項３】
前記帯状部が前記挿通空間に挿通されていない状態では、前記第１の壁と前記係止片との間隔は、前記係止片の基部から先端に近づくに従って狭くなっていることを特徴とする請求項１または請求項２に記載の封印バンド。
【請求項４】
前記引出孔の中心は前記挿入孔の中心から前記第２の壁の方に変位していることを特徴とする請求項１ないし請求項３のいずれか１項に記載の封印バンド。
【請求項５】
前記第１の壁は、
前記挿通空間に位置する帯状部が、前記凹部に嵌合された前記凸部よりも前記挿入孔寄りの所定部位の表面を頂点として屈曲するように形成されていることを特徴とする請求項１ないし請求項４のいずれか１項に記載の封印バンド。
【手続補正２】
【補正対象書類名】明細書
【補正対象項目名】００１０
【補正方法】変更
【補正の内容】
【００１０】
また、本出願に係る発明の封印バンド（１）は、前述した第１または第２の特徴において、
帯状部（２）が挿通空間（３ａ）に挿通されていない状態では、第１の壁（３ｂ）と係止片（３ｇ）との間隔は、係止片（３ｇ）の基部（３ｇ１）から先端（３ｇ２）に近づくに従って狭くなっていることを第３の特徴とする。
【手続補正３】
【補正対象書類名】明細書
【補正対象項目名】００１１
【補正方法】変更
【補正の内容】
【００１１】
帯状部が挿通空間に挿通されていない状態では、第１の壁と係止片との間隔は、係止片の基部から先端に近づくに従って狭くなっているため、挿入孔から挿入された帯状部を、挿通空間において、第２の壁に形成された係止片に押し付けることができるので、係止片の先端を第２の壁に押し付けることができる。
したがって、係止片の先端が第２の壁に当接した状態を強固に維持することができるため、より一層封印性能を高めることができる。